【手続補正書】
【提出日】平成15年12月2日(2003.12.2)
【手続補正１】
【補正対象書類名】明細書
【補正対象項目名】特許請求の範囲
【補正方法】変更
【補正の内容】
【特許請求の範囲】
【請求項１】
光学部品から延びる光ファイバーの余長部分を収納する光ファイバーの余長収納装置であって、
水平方向に配設された固定板と、
前記固定板と平行に配設され前記固定板に対して近接または離隔する方向に移動可能な１以上の移動板とを有し、
前記移動板が前記固定板に対して近接する方向に移動したときに前記固定板と前記移動板との間または前記移動板間に光ファイバーを挟持して固定するとともに、前記移動板が前記固定板から離隔する方向に移動したときに前記移動板と前記固定板との間または前記移動板間に挟持された光ファイバーが開放されることを特徴とする光ファイバーの余長収納装置。
【請求項２】
光学部品から延びる光ファイバーの余長部分を収納する光ファイバーの余長収納装置であって、
水平方向に配設された固定板と、前記固定板と平行に配設され前記固定板に対して近接または離隔する方向に移動可能な１以上の移動板とを有し、前記移動板が前記固定板に対して近接する方向に移動したときに前記固定板と前記移動板との間に光ファイバーを挟持して固定するとともに、前記移動板が前記固定板から離隔する方向に移動したときに前記移動板と前記固定板との間または前記移動板間に挟持された光ファイバーが開放される光ファイバー固定ユニットを、複数個重畳してなることを特徴とする光ファイバーの余長収納装置。
【請求項３】
請求項２に記載の光ファイバーの余長収納装置において、
前記複数の移動板の対応する固定板に向けての移動と、前記複数の移動板の対応する固定板から離隔する方向への移動とが、それぞれ同時に行われる光ファイバーの余長収納装置。
【請求項４】
光学部品から延びる光ファイバーの余長部分を収納する光ファイバーの余長収納装置であって、
大径部と小径部とが交互に形成され、鉛直方向に移動可能な移動軸と、
前記移動軸の大径部よりは小さく小径部よりは大きい孔部を有し、この孔部の中に前記移動軸の小径部を挿入した状態で配設された複数の第１の移動板と、
前記移動軸に固定され、前記複数の第１の移動板と交互に、前記移動軸に固定された状態で配設された、前記第１の移動板と同一数の第２の移動板と、を備え、
前記移動板の移動に伴って、前記第１の移動板と前記第２の移動板との間に、各々、光ファイバーを挟持して固定することを特徴とする光ファイバーの余長収納装置。
【請求項５】
光学部品から延びる光ファイバーの余長部分を収納する光ファイバーの余長収納装置であって、
垂直方向を向く固定軸と、
鉛直方向に移動可能な移動軸と、
前記固定軸に固定された複数の固定板と、
前記固定軸に対して移動自在で、かつ、前記移動軸に対して固定された、前記複数の固定板と交互に配設された前記固定板と同一数の移動板と、を備え、
前記移動軸の移動に伴って、前記固定板と前記移動板との間に、各々、光ファイバーを挟持して固定することを特徴とする光ファイバー余長収納装置。
【請求項６】
光学部品から延びる光ファイバーの余長部分を収納する光ファイバーの余長収納装置であって、
水平方向に配設された固定板と、前記固定板と平行に配設され前記固定板に対して近接または離隔する方向に移動可能な第１の移動板と、前記第１の移動板と平行に配設され前記第１の移動板に対して近接または離隔する方向に移動可能な第２の移動板と、前記第１の移動板の前記固定板への近接動作と、前記第２の移動板の前記第１の移動板への近接動作とを同期して実行させる移動板移動機構とを備え、前記固定板と前記第１の移動板との間および前記第１の移動板と前記第２の移動板との間に光ファイバーを挟持して固定する光ファイバー固定ユニットを、複数個重畳してなることを特徴とする光ファイバーの余長収納装置。
【請求項７】
光学部品から延びる光ファイバーの余長部分を収納する光ファイバーの余長収納装置であって、
垂直方向を向く固定軸と、
大径部と小径部が交互に形成され、鉛直方向に移動可能な移動軸と、
前記固定軸に固定された複数の固定板と、
前記移動軸の大径部よりは小さく小径部よりは大きい孔部を有し、この孔部中に前記移動軸の小径部を挿入した状態で前記固定板と平行に前記固定板と同一の数だけ配設された第１の移動板と、
前記移動軸に固定され、前記第１の移動板に対して前記固定板とは逆側において前記第１の移動板と平行に前記第１の移動板と同一の数だけ配設された第２の移動板とを備え、
前記移動軸の移動に伴って、前記固定板と前記第１の移動板との間および前記第１の移動板と前記第２の移動板との間に、各々、光ファイバーを挟持して固定することを特徴とする光ファイバーの余長収納装置。
【手続補正２】
【補正対象書類名】明細書
【補正対象項目名】０００７
【補正方法】変更
【補正の内容】
【０００７】
【課題を解決するための手段】
請求項１に記載の発明は、光学部品から延びる光ファイバーの余長部分を収納する光ファイバーの余長収納装置であって、水平方向に配設された固定板と、前記固定板と平行に配設され前記固定板に対して近接または離隔する方向に移動可能な１以上の移動板とを有し、前記移動板が前記固定板に対して近接する方向に移動したときに前記固定板と前記移動板との間または前記移動板間に光ファイバーを挟持して固定するとともに、前記移動板が前記固定板から離隔する方向に移動したときに前記移動板と前記固定板との間または前記移動板間に挟持された光ファイバーが開放されることを特徴とする。


【手続補正３】
【補正対象書類名】明細書
【補正対象項目名】０００８
【補正方法】変更
【補正の内容】
【０００８】
請求項２に記載の発明は、光学部品から延びる光ファイバーの余長部分を収納する光ファイバーの余長収納装置であって、水平方向に配設された固定板と、前記固定板と平行に配設され前記固定板に対して近接または離隔する方向に移動可能な１以上の移動板とを有し、前記移動板が前記固定板に対して近接する方向に移動したときに前記固定板と前記移動板との間に光ファイバーを挟持して固定するとともに、前記移動板が前記固定板から離隔する方向に移動したときに前記移動板と前記固定板との間または前記移動板間に挟持された光ファイバーが開放される光ファイバー固定ユニットを、複数個重畳してなることを特徴とする。


【手続補正４】
【補正対象書類名】明細書
【補正対象項目名】０００９
【補正方法】変更
【補正の内容】
【０００９】
請求項３に記載の発明は、請求項２に記載の光ファイバーの余長収納装置において、前記複数の移動板の対応する固定板に向けての移動と、前記複数の移動板の対応する固定板から離隔する方向への移動とが、それぞれ同時に行われる。


【手続補正５】
【補正対象書類名】明細書
【補正対象項目名】００１０
【補正方法】変更
【補正の内容】
【００１０】
請求項４に記載の発明は、光学部品から延びる光ファイバーの余長部分を収納する光ファイバーの余長収納装置であって、大径部と小径部とが交互に形成され、鉛直方向に移動可能な移動軸と、前記移動軸の大径部よりは小さく小径部よりは大きい孔部を有し、この孔部の中に前記移動軸の小径部を挿入した状態で配設された複数の第１の移動板と、前記移動軸に固定され、前記複数の第１の移動板と交互に、前記移動軸に固定された状態で配設された、前記第１の移動板と同一数の第２の移動板と、を備え、前記移動板の移動に伴って、前記第１の移動板と前記第２の移動板との間に、各々、光ファイバーを挟持して固定することを特徴とする。
請求項５に記載の発明は、光学部品から延びる光ファイバーの余長部分を収納する光ファイバーの余長収納装置であって、垂直方向を向く固定軸と、鉛直方向に移動可能な移動軸と、前記固定軸に固定された複数の固定板と、前記固定軸に対して移動自在で、かつ、前記移動軸に対して固定された、前記複数の固定板と交互に配設された前記固定板と同一数の移動板と、を備え、前記移動軸の移動に伴って、前記固定板と前記移動板との間に、各々、光ファイバーを挟持して固定することを特徴とする。
請求項６に記載の発明は、光学部品から延びる光ファイバーの余長部分を収納する光ファイバーの余長収納装置であって、水平方向に配設された固定板と、前記固定板と平行に配設され前記固定板に対して近接または離隔する方向に移動可能な第１の移動板と、前記第１の移動板と平行に配設され前記第１の移動板に対して近接または離隔する方向に移動可能な第２の移動板と、前記第１の移動板の前記固定板への近接動作と、前記第２の移動板の前記第１の移動板への近接動作とを同期して実行させる移動板移動機構とを備え、前記固定板と前記第１の移動板との間および前記第１の移動板と前記第２の移動板との間に光ファイバーを挟持して固定する光ファイバー固定ユニットを、複数個重畳してなることを特徴とする。
請求項７に記載の発明は、光学部品から延びる光ファイバーの余長部分を収納する光ファイバーの余長収納装置であって、垂直方向を向く固定軸と、大径部と小径部が交互に形成され、鉛直方向に移動可能な移動軸と、前記固定軸に固定された複数の固定板と、前記移動軸の大径部よりは小さく小径部よりは大きい孔部を有し、この孔部中に前記移動軸の小径部を挿入した状態で前記固定板と平行に前記固定板と同一の数だけ配設された第１の移動板と、前記移動軸に固定され、前記第１の移動板に対して前記固定板とは逆側において前記第１の移動板と平行に前記第１の移動板と同一の数だけ配設された第２の移動板とを備え、前記移動軸の移動に伴って、前記固定板と前記第１の移動板との間および前記第１の移動板と前記第２の移動板との間に、各々、光ファイバーを挟持して固定することを特徴とする。


【手続補正６】
【補正対象書類名】明細書
【補正対象項目名】００３８
【補正方法】変更
【補正の内容】
【００３８】
【発明の効果】
請求項１乃至請求項７に記載の発明によれば、光ファイバーを挟持して固定することができることから、光ファイバーの移動に伴う電送特性の悪化を有効に防止することが可能となる。また、光ファイバーの固定状態を容易に解除できることから、そのメンテナンス性を向上させることが可能となる。